(57)【特許請求の範囲】
【請求項１】
ベースを含み、前記ベースの上端面の中心には展示台が回転できるように設置され、前記展示台の上端面には展示装置が設置され、前記展示装置は前記展示台の上端面に固定的に設置されたガラスカバーを含み、前記展示台の上端面には上方に開口した水槽が形成され、前記水槽の内部の上方には浮き板が設置され、前記浮き板と前記水槽の側壁との間には固定ブロックが固定的に連結され、建築模型の水路の情況により前記浮き板が切断され、且つ切断された前記浮き板が前記固定ブロックにより連結され、前記展示台の外円周面には外部除塵装置が設置され、前記外部除塵装置は前記展示台の外円周面に形成された旋転溝を含み、前記旋転溝の前記水槽の下方に位置した開口は円心から離れており、前記旋転溝の中には環状回転盤が回転できるように設置され、前記環状回転盤において円心に近接した一端には第二歯車溝が形成され、前記環状回転盤において円心から離れた一端が外部空間に延在し、且つ前記環状回転盤において円心から離れた一端には回転アームが固定的に設置され、前記回転アームには除塵ブラシが固定的に設置され、前記除塵ブラシが前記ガラスカバーの外円周面に密接しており、前記水槽の中には内部洗浄装置が設置され、前記内部洗浄装置は前記水槽の下壁右側に固定的に設置された排水箱を含み、前記排水箱の内部の右側には排水空間が固定的に設置され、前記排水空間の右壁の中には羽根車軸が回転できるように設置され、前記羽根車軸の右端には羽根車が固定的に設置され、前記排水空間の上壁には上方に開口した水入り口が連通するように設置され、前記排水空間の右壁には排水口が連通するように設置されており、
前記内部洗浄装置は前記排水箱の中に設置された上伝動通路を含み、前記上伝動通路が前記排水空間の左側に位置し、且つ下方に開口し、前記羽根車軸の左端が前記上伝動通路の中に延在し、且つ前記羽根車軸の左端には第三プーリが固定的に設置され、前記動力軸の外円周面には第一はすば歯車が固定的に設置され、且つ前記第一はすば歯車が前記第二歯車の上側に位置し、前記動力空間の左壁の中には第二歯車軸が回転できるように設置され、前記第二歯車軸の右端には第二はすば歯車が固定的に設置され、且つ前記第二はすば歯車が前記第一はすば歯車に噛み合い、前記動力空間の左壁の中には下伝動通路が設置され、前記下伝動通路の上端が前記上伝動通路に連通し、前記第二歯車軸の左端の前記下伝動通路の中に延在する部分には第二プーリが固定的に設置され、前記第三プーリと前記第二プーリとの間には第二伝動ベルトが巻き付くように設置されており、
前記展示装置は前記展示台の上端面に固定的に設置された弧状スライドレールを含み、且つ前記弧状スライドレールは前記ガラスカバーの内側に位置し、前記弧状スライドレールの内円周面には第一歯車溝が固定的に形成され、前記弧状スライドレールにはスライダがスライドできるように設置され、前記スライダの中にはスライドレール通路が左右に貫通するように設置され、前記スライダは前記スライドレール通路により前記弧状スライドレールにスライドできるように連結されることができ、前記スライドレール通路の下側の後壁の中には第一モーターが固定的に設置され、且つ前記第一モーターが前記弧状スライドレールの下側に位置し、前記第一モーターの前端には第一歯車軸が動力が伝達できるように連結され、前記第一歯車軸の外円周面には第一歯車が固定的に設置され、且つ前記第一歯車が前記第一歯車溝に噛み合っており、
前記弧状スライドレールの中には給水管が設置され、前記給水管の下端が前記排水口に連通し、前記スライドレール通路の前壁の上側には連結ロッド通路が連通するように設置され、前記連結ロッド通路が左右に貫通し、且つ前方に開口し、前記弧状スライドレールの前端面の中心には連結ロッドが固定的に設置され、前記連結ロッドの下端面の前側にはハンギングロッドが固定的に設置され、前記ハンギングロッドの下端にはハンギングアームが回転できるように設置され、前記ハンギングアームの下端面の後端には噴霧ノズルが固定的に設置され、前記噴霧ノズルが前記給水管に連通し、前記連結ロッドと前記ハンギングアームとの間にはばねが固定的に連結され、前記スライダがスライドする時に前記連結ロッドが前記連結ロッド通路を通り抜け、前記スライダの下端が前記ハンギングアームの後端と当接することで前記ハンギングアームの回転を押し動かし、平行光源の発光効果に影響することを避けられ、前記ハンギングアームの後端が前記スライダとの当接から離脱した時に、前記ハンギングアームと前記噴霧ノズルとが前記ばねの作用で一番後ろの位置に戻り、
前記動力軸の回転は前記第一はすば歯車を回転させ、歯車の噛合により前記第二歯車軸を回転させ、さらに前記第二プーリを回転させ、前記第二プーリがベルトの伝動により前記羽根車軸を回転させ、さらに前記羽根車を回転させ、前記水入り口を経由して前記排水空間の中に流れた水は前記排水口と前記給水管とにより前記噴霧ノズルに送られ、前記噴霧ノズルが水を噴霧化して噴出させることで建築模型を洗浄することを特徴とする自動洗浄できる建築模型展示台。
【請求項２】
前記スライダの中には伝動空間が固定的に設置され、且つ前記伝動空間が前記スライドレール通路の前側に位置し、前記第一歯車軸の前端が前記伝動空間の中に延在し、且つ前記第一歯車軸の前端には第一プーリが固定的に設置され、前記伝動空間の後壁の中には発電機が固定的に設置され、且つ前記発電機が前記スライドレール通路の下側に位置し、前記発電機の前端において前記伝動空間の中に位置するところには第二プーリが動力が伝達できるように連結され、前記第一プーリと前記第二プーリとの間には第一伝動ベルトが巻き付くように設置され、前記スライダの下端面の中には平行光源が固定的に設置され、且つ前記平行光源が前記発電機に通電できるように連結されていることを特徴とする請求項１に記載の自動洗浄できる建築模型展示台。
【請求項３】
前記外部除塵装置は前記旋転溝において円心に近接した片側に連通するように設置された動力空間を含み、前記動力空間の上壁の中には第二モーターが固定的に設置され、前記第二モーターの下端には動力軸が動力が伝達できるように連結され、前記動力軸の下端には前記第二歯車溝に噛み合っている第二歯車が固定的に連結され、前記第二歯車が回転する時に、歯車の噛合により前記環状回転盤を回転させ、そして回転アームと除塵ブラシとが回転して前記ガラスカバーの外部を洗浄することを特徴とする請求項１に記載の自動洗浄できる建築模型展示台。
【発明の詳細な説明】
【技術分野】
【０００１】
本願発明は建築模型展示台技術分野に関わり、具体的には自動洗浄できる建築模型展示台である。
【背景技術】
【０００２】
今では建設業は盛んになっており、様々な住宅地またはオフィスビルが地面からすっくと立っており、その故、建設業に展示台を利用して建築模型を全方向で展示する必要があり、しかし現在、多くの建築模型展示台は静的な模型と位置情報しか展示できなく、また、長い時間して展示台にある模型の内部にはホコリが付いてきて、模型が古くなって品質も悪くなることで、展示台の美観に悪い影響を与える。本願発明は上記の問題を解決できる装置を開示する。
【先行技術文献】
【特許文献】
【０００３】
【特許文献１】中国特許出願公開第１０７２５２２１８号明細書
【発明の概要】
【発明が解決しようとする課題】
【０００４】
技術問題：現在、多くの建築模型展示台は静的な模型と位置情報しか展示できなく、また、長い時間して展示台にある模型の内部にはホコリが付いてきて、模型が古くなって品質も悪くなることで、展示台の美観に悪い影響を与える。
【課題を解決するための手段】
【０００５】
上記の問題を解決するため、本願発明は自動洗浄できる建築模型展示台を設計する。本願発明の自動洗浄できる建築模型展示台は、ベースを含み、前記ベースの上端面の中心には展示台が回転できるように設置され、前記展示台の上端面には展示装置が設置され、前記展示装置は前記展示台の上端面に固定的に設置されたガラスカバーを含み、前記展示台の上端面には上方に開口した水槽が形成され、前記水槽の内部の上方には浮き板が設置され、前記浮き板と前記水槽の側壁との間には固定ブロックが固定的に連結され、建築模型の水路の情況により前記浮き板が切断され、且つ切断された前記浮き板が前記固定ブロックにより連結され、前記展示台の外円周面には外部除塵装置が設置され、前記外部除塵装置は前記展示台の外円周面に形成された旋転溝を含み、前記旋転溝の前記水槽の下方に位置した開口は円心から離れており、前記旋転溝の中には環状回転盤が回転できるように設置され、前記環状回転盤において円心に近接した一端には第二歯車溝が形成され、前記環状回転盤において円心から離れた一端が外部空間に延在し、且つ前記環状回転盤において円心から離れた一端には回転アームが固定的に設置され、前記回転アームには除塵ブラシが固定的に設置され、前記除塵ブラシが前記ガラスカバーの外円周面に密接しており、前記水槽の中には内部洗浄装置が設置され、前記内部洗浄装置は前記水槽の下壁右側に固定的に設置された排水箱を含み、前記排水箱の内部の右側には排水空間が固定的に設置され、前記排水空間の右壁の中には羽根車軸が回転できるように設置され、前記羽根車軸の右端には羽根車が固定的に設置され、前記排水空間の上壁には上方に開口した水入り口が連通するように設置され、前記排水空間の右壁には排水口が連通するように設置されている。
【０００６】
好ましくは、前記展示装置は前記展示台の上端面に固定的に設置された弧状スライドレールを含み、且つ前記弧状スライドレールは前記ガラスカバーの内側に位置し、前記弧状スライドレールの内円周面には第一歯車溝が固定的に形成され、前記弧状スライドレールにはスライダがスライドできるように設置され、前記スライダの中にはスライドレール通路が左右に貫通するように設置され、前記スライダは前記スライドレール通路により前記弧状スライドレールにスライドできるように連結されることができ、前記スライドレール通路の下側の後壁の中には第一モーターが固定的に設置され、且つ前記第一モーターが前記弧状スライドレールの下側に位置し、前記第一モーターの前端には第一歯車軸が動力が伝達できるように連結され、前記第一歯車軸の外円周面には第一歯車が固定的に設置され、且つ前記第一歯車が前記第一歯車溝に噛み合っている。
【０００７】
好ましくは、前記スライダの中には伝動空間が固定的に設置され、且つ前記伝動空間が前記スライドレール通路の前側に位置し、前記第一歯車軸の前端が前記伝動空間の中に延在し、且つ前記第一歯車軸の前端には第一プーリが固定的に設置され、前記伝動空間の後壁の中には発電機が固定的に設置され、且つ前記発電機が前記スライドレール通路の下側に位置し、前記発電機の前端において前記伝動空間の中に位置するところには第二プーリが動力が伝達できるように連結され、前記第一プーリと前記第二プーリとの間には第一伝動ベルトが巻き付くように設置され、前記スライダの下端面の中には平行光源が固定的に設置され、且つ前記平行光源が前記発電機に通電できるように連結されている。
【０００８】
好ましくは、前記外部除塵装置は前記旋転溝において円心に近接した片側に連通するように設置された動力空間を含み、前記動力空間の上壁の中には第二モーターが固定的に設置され、前記第二モーターの下端には動力軸が動力が伝達できるように連結され、前記動力軸の下端には前記第二歯車溝に噛み合っている第二歯車が固定的に連結され、前記第二歯車が回転する時に、歯車の噛合により前記環状回転盤を回転させ、そして回転アームと除塵ブラシとが回転して前記ガラスカバーの外部を洗浄する。
【０００９】
好ましくは、前記内部洗浄装置は前記排水箱の中に設置された上伝動通路を含み、前記上伝動通路が前記排水空間の左側に位置し、且つ下方に開口し、前記羽根車軸の左端が前記上伝動通路の中に延在し、且つ前記羽根車軸の左端には第三プーリが固定的に設置され、前記動力軸の外円周面には第一はすば歯車が固定的に設置され、且つ前記第一はすば歯車が前記第二歯車の上側に位置し、前記動力空間の左壁の中には第二歯車軸が回転できるように設置され、前記第二歯車軸の右端には第二はすば歯車が固定的に設置され、且つ前記第二はすば歯車が前記第一はすば歯車に噛み合い、前記動力空間の左壁の中には下伝動通路が設置され、前記下伝動通路の上端が前記上伝動通路に連通し、前記第二歯車軸の左端の前記下伝動通路の中に延在する部分には第二プーリが固定的に設置され、前記第三プーリと前記第二プーリとの間には第二伝動ベルトが巻き付くように設置されている。
【００１０】
好ましくは、前記弧状スライドレールの中には給水管が設置され、前記給水管の下端が前記排水口に連通し、前記スライドレール通路の前壁の上側には連結ロッド通路が連通するように設置され、前記連結ロッド通路が左右に貫通し、且つ前方に開口し、前記弧状スライドレールの前端面の中心には連結ロッドが固定的に設置され、前記連結ロッドの下端面の前側にはハンギングロッドが固定的に設置され、前記ハンギングロッドの下端にはハンギングアームが回転できるように設置され、前記ハンギングアームの下端面の後端には噴霧ノズルが固定的に設置され、前記噴霧ノズルが前記給水管に連通し、前記連結ロッドと前記ハンギングアームとの間にはばねが固定的に連結され、前記スライダがスライドする時に前記連結ロッドが前記連結ロッド通路を通り抜け、前記スライダの下端が前記ハンギングアームの後端と当接することで前記ハンギングアームの回転を押し動かし、平行光源の発光効果に影響することを避けられ、前記ハンギングアームの後端が前記スライダとの当接から離脱した時に、前記ハンギングアームと前記噴霧ノズルとが前記ばねの作用で一番後ろの位置に戻る。
【発明の効果】
【００１１】
本願発明の有益な効果は：本願発明の自動洗浄できる建築模型展示台は建築物内の様々な場所での一日の日差しを模擬でき、建築内の状況を人に見せ、人は建築内の情報をより明確且つ直接に把握でき、展示台は手動で回されることができ、全方向で建築を観察することに便利であり、また展示台は使用されていない時に自動的に内部または外部の埃を取り除くことができ、展示台と展示台内部の建築模型とをよりきれいにし、人がよく体験できる。
【図面の簡単な説明】
【００１２】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１３】
【図１】図１は本願発明の自動洗浄できる建築模型展示台の全体構成概略図
【図２】図２は図１における「Ａ―Ａ」方向の断面図
【図３】図３は図２における「Ｂ―Ｂ」方向の断面図
【図４】図４は図１における「Ｃ」の拡大概略図
【発明を実施するための形態】
【００１４】
本願発明は自動洗浄できる建築模型展示台に関わり、主にビルなどの建築模型の展示に適用され、以下、本願発明の付図をあわせてさらなる説明をする。
【００１５】
本願発明の自動洗浄できる建築模型展示台は、ベース１１を含み、前記ベース１１の上端面の中心には展示台１２が回転できるように設置され、前記展示台１２の上端面には展示装置１０１が設置され、前記展示装置１０１は前記展示台１２の上端面に固定的に設置されたガラスカバー１３を含み、前記展示台１２の上端面には上方に開口した水槽１４が形成され、前記水槽１４の内部の上方には浮き板１５が設置され、前記浮き板１５と前記水槽１４の側壁との間には固定ブロック１６が固定的に連結され、建築模型の水路の情況により前記浮き板１５が切断され、且つ切断された前記浮き板１５が前記固定ブロック１６により連結され、前記展示台１２の外円周面には外部除塵装置１０２が設置され、前記外部除塵装置１０２は前記展示台１２の外円周面に形成された旋転溝３０を含み、前記旋転溝３０の前記水槽１４の下方に位置した開口は円心から離れており、前記旋転溝３０の中には環状回転盤３１が回転できるように設置され、前記環状回転盤３１において円心に近接した一端には第二歯車溝３２が形成され、前記環状回転盤３１において円心から離れた一端が外部空間に延在し、且つ前記環状回転盤３１において円心から離れた一端には回転アーム３７が固定的に設置され、前記回転アーム３７には除塵ブラシ３８が固定的に設置され、前記除塵ブラシ３８が前記ガラスカバー１３の外円周面に密接しており、前記水槽１４の中には内部洗浄装置１０３が設置され、前記内部洗浄装置１０３は前記水槽１４の下壁右側に固定的に設置された排水箱３９を含み、前記排水箱３９の内部の右側には排水空間４９が固定的に設置され、前記排水空間４９の右壁の中には羽根車軸４１が回転できるように設置され、前記羽根車軸４１の右端には羽根車５０が固定的に設置され、前記排水空間４９の上壁には上方に開口した水入り口５１が連通するように設置され、前記排水空間４９の右壁には排水口５２が連通するように設置されている。
【００１６】
実施例により、以下、展示装置１０１について詳しく説明し、前記展示装置１０１は前記展示台１２の上端面に固定的に設置された弧状スライドレール１７を含み、且つ前記弧状スライドレール１７は前記ガラスカバー１３の内側に位置し、前記弧状スライドレール１７の内円周面には第一歯車溝１８が固定的に形成され、前記弧状スライドレール１７にはスライダ１９がスライドできるように設置され、前記スライダ１９の中にはスライドレール通路２０が左右に貫通するように設置され、前記スライダ１９は前記スライドレール通路２０により前記弧状スライドレール１７にスライドできるように連結されることができ、前記スライドレール通路２０の下側の後壁の中には第一モーター２１が固定的に設置され、且つ前記第一モーター２１が前記弧状スライドレール１７の下側に位置し、前記第一モーター２１の前端には第一歯車軸２２が動力が伝達できるように連結され、前記第一歯車軸２２の外円周面には第一歯車２３が固定的に設置され、且つ前記第一歯車２３が前記第一歯車溝１８に噛み合っている。
【００１７】
有益なように、前記スライダ１９の中には伝動空間２４が固定的に設置され、且つ前記伝動空間２４が前記スライドレール通路２０の前側に位置し、前記第一歯車軸２２の前端が前記伝動空間２４の中に延在し、且つ前記第一歯車軸２２の前端には第一プーリ２５が固定的に設置され、前記伝動空間２４の後壁の中には発電機２６が固定的に設置され、且つ前記発電機２６が前記スライドレール通路２０の下側に位置し、前記発電機２６の前端において前記伝動空間２４の中に位置するところには第二プーリ２７が動力が伝達できるように連結され、前記第一プーリ２５と前記第二プーリ２７との間には第一伝動ベルト２８が巻き付くように設置され、前記スライダ１９の下端面の中には平行光源２９が固定的に設置され、且つ前記平行光源２９が前記発電機２６に通電できるように連結されている。
【００１８】
実施例により、以下、外部除塵装置１０２について詳しく説明し、前記外部除塵装置１０２は前記旋転溝３０において円心に近接した片側に連通するように設置された動力空間３３を含み、前記動力空間３３の上壁の中には第二モーター３４が固定的に設置され、前記第二モーター３４の下端には動力軸３５が動力が伝達できるように連結され、前記動力軸３５の下端には前記第二歯車溝３２に噛み合っている第二歯車３６が固定的に連結され、前記第二歯車３６が回転する時に、歯車の噛合により前記環状回転盤３１を回転させ、そして回転アーム３７と除塵ブラシ３８とが回転して前記ガラスカバー１３の外部を洗浄する。
【００１９】
実施例により、以下、内部洗浄装置１０３について詳しく説明し、前記内部洗浄装置１０３は前記排水箱３９の中に設置された上伝動通路４０を含み、前記上伝動通路４０が前記排水空間４９の左側に位置し、且つ下方に開口し、前記羽根車軸４１の左端が前記上伝動通路４０の中に延在し、且つ前記羽根車軸４１の左端には第三プーリ４２が固定的に設置され、前記動力軸３５の外円周面には第一はすば歯車４３が固定的に設置され、且つ前記第一はすば歯車４３が前記第二歯車３６の上側に位置し、前記動力空間３３の左壁の中には第二歯車軸４４が回転できるように設置され、前記第二歯車軸４４の右端には第二はすば歯車４５が固定的に設置され、且つ前記第二はすば歯車４５が前記第一はすば歯車４３に噛み合い、前記動力空間３３の左壁の中には下伝動通路４６が設置され、前記下伝動通路４６の上端が前記上伝動通路４０に連通し、前記第二歯車軸４４の左端の前記下伝動通路４６の中に延在する部分には第二プーリ４７が固定的に設置され、前記第三プーリ４２と前記第二プーリ４７との間には第二伝動ベルト４８が巻き付くように設置されている。
【００２０】
有益なように、前記弧状スライドレール１７の中には給水管５３が設置され、前記給水管５３の下端が前記排水口５２に連通し、前記スライドレール通路２０の前壁の上側には連結ロッド通路５４が連通するように設置され、前記連結ロッド通路５４が左右に貫通し、且つ前方に開口し、前記弧状スライドレール１７の前端面の中心には連結ロッド５５が固定的に設置され、前記連結ロッド５５の下端面の前側にはハンギングロッド５６が固定的に設置され、前記ハンギングロッド５６の下端にはハンギングアーム５７が回転できるように設置され、前記ハンギングアーム５７の下端面の後端には噴霧ノズル５８が固定的に設置され、前記噴霧ノズル５８が前記給水管５３に連通し、前記連結ロッド５５と前記ハンギングアーム５７との間にはばね５９が固定的に連結され、前記スライダ１９がスライドする時に前記連結ロッド５５が前記連結ロッド通路５４を通り抜け、前記スライダ１９の下端が前記ハンギングアーム５７の後端と当接することで前記ハンギングアーム５７の回転を押し動かし、平行光源２９の発光効果に影響することを避けられ、前記ハンギングアーム５７の後端が前記スライダ１９との当接から離脱した時に、前記ハンギングアーム５７と前記噴霧ノズル５８とが前記ばね５９の作用で一番後ろの位置に戻る。
【００２１】
以下、図１〜４を合わせて本願発明の自動洗浄できる建築模型展示台の使用手順について詳しく説明する。
【００２２】
初めに、スライダ１９が一番左の位置にあり、噴霧ノズル５８が一番後ろの位置にある。
【００２３】
本願発明は作動する時に、洗浄装置を作動させるために、第二モーター３４が作動して動力軸３５を駆動して回転させ、動力軸３５が第二歯車３６を駆動して回転させ、歯車の噛合により環状回転盤３１を回転させ、そして回転アーム３７と除塵ブラシ３８とがガラスカバー１３に対して回転し始め、除塵ブラシ３８はガラスカバー１３の外端面を洗浄し、動力軸３５の回転は第一はすば歯車４３を回転させ、歯車の噛合により第二歯車軸４４を回転させ、さらに第二プーリ４７を回転させ、第二プーリ４７がベルトの伝動により羽根車軸４１を回転させ、さらに羽根車５０を回転させ、水入り口５１を経由して排水空間４９の中に流れた水は排水口５２と給水管５３とにより噴霧ノズル５８に送られ、噴霧ノズル５８が水を噴霧化して噴出させることで建築模型を洗浄し、人に建築模型を見せる時に手動で展示台１２を回して角度を変えることができ、第一モーター２１が作動して第一歯車軸２２を駆動して回転させ、第一歯車軸２２が第一歯車２３を駆動して回転させ、歯車の噛合によりスライダ１９を弧状スライドレール１７でスライドさせ、第一歯車軸２２が回転する時に、第一プーリ２５が第一歯車軸２２とともに回転し、さらにベルトの伝動により第二プーリ２７を回転させ、さらに発電機２６が発電することで平行光源２９を発光させ、そして建築内の様々な場所での一日の日差しを模擬できる。
【００２４】
本願発明の有益な効果は：本願発明の自動洗浄できる建築模型展示台は建築物内の様々な場所での一日の日差しを模擬でき、建築内の状況を人に見せ、人は建築内の情報をより明確且つ直接に把握でき、展示台は手動で回されることができ、全方向で建築を観察することに便利であり、また展示台は使用されていない時に自動的に内部または外部の埃を取り除くことができ、展示台と展示台内部の建築模型とをよりきれいにし、人がよく体験できる。
【００２５】
上記の方式によって、当業者は本発明の範囲内で作動モードに基づいて様々な変わりを行える。
【要約】
【課題】本願発明は自動洗浄できる建築模型展示台を開示した。
【解決手段】
ベースを含み、前記ベースの上端面の中心には展示台が回転できるように設置され、前記展示台の上端面には展示装置が設置され、前記展示装置は前記展示台の上端面に固定的に設置されたガラスカバーを含み、前記展示台の上端面には上方に開口した水槽が形成され、前記展示台の外円周面には外部除塵装置が設置され、本願発明の自動洗浄できる建築模型展示台は建築物内の様々な場所での一日の日差しを模擬でき、建築内の状況を人に見せ、人は建築内の情報をより明確且つ直接に把握でき、展示台は手動で回されることができ、全方向で建築を観察することに便利であり、また展示台は使用されていない時に自動的に内部または外部の埃を取り除くことができ、展示台と展示台内部の建築模型とをよりきれいにし、人がよく体験できる。
【選択図】図１【図１】
0006813735.tif 000002
【図２】
0006813735.tif 000003
【図３】
0006813735.tif 000004
【図４】
0006813735.tif 000005